(57)【要約】【課題】導光設備が結合される浴室ユニットであって、洗い場にいる入浴者の身体を効率的に暖めることができる浴室ユニットを提供する。【解決手段】屋外から光を導入する光ダクトが結合される浴室ユニット１において、光ダクトにより導入された光を浴室ユニット１内に放光する放光口６は、浴室ユニット１の天井４における洗い場３側の領域に設けられている。放光口６の下方には、ブラケット７が取り付けられており、このブラケット７の下面をなす円板部材１２の透光率は、ブラケット７の側面をなす円筒部材１１の透光率よりも高い。これにより、光ダクトにより導入された光は、放光口６を介して洗い場３に向けて照射される。【選択図】図２
2008082077.tif 000002
【特許請求の範囲】
【請求項１】
屋外から光を導入する導光設備が結合される浴室ユニットであって、
前記導光設備により導入された光が、洗い場に向けて照射されることを特徴とする浴室ユニット。
【請求項２】
前記導光設備により導入された光を前記浴室ユニット内に放光する放光口は、前記浴室ユニットの天井における洗い場側の領域に設けられていることを特徴とする請求項１記載の浴室ユニット。
【請求項３】
前記放光口に取り付けられたブラケットを備え、
前記ブラケットの下面の透光率は、前記ブラケットの側面の透光率よりも高いことを特徴とする請求項２記載の浴室ユニット。
【請求項４】
前記導光設備により導入された光を前記浴室ユニット内に放光する放光口は、前記洗い場の側壁に設けられていることを特徴とする請求項１記載の浴室ユニット。
【請求項５】
前記洗い場の側壁に取り付けられた鏡と、
前記放光口に取り付けられたブラケットと、
を備え、
前記放光口は前記鏡の上方に配置されており、
前記ブラケットの下部の透光率は、前記ブラケットの上部の透光率よりも高いことを特徴とする請求項４記載の浴室ユニット。
【請求項６】
前記洗い場の側壁に取り付けられた鏡を備え、
前記放光口は前記鏡の側方に配置されていることを特徴とする請求項４記載の浴室ユニット。
【請求項７】
前記洗い場の側壁に設けられたカウンターを備え、
前記放光口は前記カウンターの下方に配置されていることを特徴とする請求項４記載の浴室ユニット。
【請求項８】
前記導光設備により導入された光を前記浴室ユニット内に放光する放光口に設けられ、前記導光設備により導入された光の進行方向を前記洗い場に向けて規制する光線方向規制手段を備えたことを特徴とする請求項１記載の浴室ユニット。
【請求項９】
前記光線方向規制手段は、入射された光の一部を前記洗い場に向けて反射する光反射板を有することを特徴とする請求項８記載の浴室ユニット。
【請求項１０】
前記光線方向規制手段は、相互に平行に配置され、入射された光を反射する複数枚の光反射板を有することを特徴とする請求項８記載の浴室ユニット。
【請求項１１】
前記導光設備により導入された光が照射される位置に配置され、可視光の少なくとも一部を吸収して遠赤外線を発生する遠赤外線放射板を備えたことを特徴とする請求項１〜１０のいずれか１つに記載の浴室ユニット。
【請求項１２】
前記導光設備は、その内面が光反射面とされた管状部材を有することを特徴とする請求項１〜１１のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、浴槽側に設けられることになる。
【０００４】
一方、一般に浴室ユニット内においては、入浴者が浴槽内で湯につかっているときは、入浴者の身体は湯によって十分に暖められるが、入浴者が洗い場にいるときは、身体を暖める手段がなく寒いことが多い。特に、冬季にはその傾向が顕著である。
【０００５】
【特許文献１】実開昭６０−０３３２４０号公報
【発明の開示】
【発明が解決しようとする課題】
【０００６】
本発明の目的は、導光設備が結合される浴室ユニットであって、洗い場にいる入浴者の身体を効率的に暖めることができる浴室ユニットを提供することである。
【課題を解決するための手段】
【０００７】
本発明の一態様によれば、屋外から光を導入する導光設備が結合される浴室ユニットであって、前記導光設備により導入された光が、洗い場に向けて照射されることを特徴とする浴室ユニットが提供される。
【発明の効果】
【０００８】
本発明によれば、導光設備が結合され、洗い場にいる入浴者の身体を効率的に暖めることができる浴室ユニットを実現することができる。
【発明を実施するための最良の形態】
【０００９】
以下、図面を参照しつつ本発明の実施形態について説明する。  
先ず、本発明の第１の実施形態について説明する。  
図１は、本実施形態に係る浴室ユニットが設けられた建築物を例示する模式的断面図であり、  
図２は、本実施形態に係る浴室ユニットを例示する斜視図であり、  
図３は、この浴室ユニットにおけるブラケットを例示する斜視図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１に結合されている。採光部１０３は、透明板からなるドームによって覆われており、砂や埃は通過させないが光は透過させる。光ダクト１０２の内部は中空であり、その内面は光反射面とされている。これにより、光ダクト１０２は、住宅１０１の外部から採光部１０３を介して導入された自然光Ｌを、その内面において反射しつつ導光して、浴室ユニット１の内部まで導入する。
【００１１】
図１及び図２に示すように、浴室ユニット１においては、床の一方の側に浴槽２が設けられており、他方の側が洗い場３となっている。また、浴室ユニット１の天井４における洗い場３側の領域には、光ダクト１０２により導入された外光Ｌを浴室ユニット１内に放光する放光口６が設けられており、放光口６にはブラケット７が取り付けられている。放光口６と光ダクト１０２との接続部は、例えば、インシュロック、アルミニウム製テープ又はホースバンドなどの接続材（図示せず）によって固定されている。これにより、放光口６は、光ダクト１０２と光学的に結合されている。なお、放光口６は、天井４に設けられた点検口（図示せず）を塞ぐ蓋板に設けられていてもよい。
【００１２】
一方、天井４における浴槽２側の領域には、排気口８が設けられており、この排気口８上には排気フィン９が設けられている。排気フィン９は、住宅１０１に配設された排気管１０４に接続されている。これにより、排気口８は、排気フィン９及び排気管１０４を介して住宅１０１の外部に連通されている。
【００１３】
また、例えば、浴槽２の足側の側壁のうち、洗い場３側の側壁１４には、入浴者のほぼ全身が映せるような大型の鏡１５が取り付けられている。そして、例えば、鏡１５の向かって右側の側方には多段の収納棚１６が造り付けられており、鏡１５の向かって左側の側方にはシャワー１７が取り付けられており、鏡１５の下方にはカウンター１８が設けられている。
【００１４】
図３に示すように、ブラケット７の形状は円柱形であり、その中心軸は垂直方向に延びている。ブラケット７においては、ブラケット７の側面をなす円筒部材１１と、ブラケット７の下面をなす円板部材１２とが設けられている。そして、円板部材１２の透光率は、円筒部材１１の透光率よりも高い。例えば、円板部材１２は、光を透過させる透明な樹脂により形成されており、円筒部材１１は、光を拡散させながら透過させる乳白色の樹脂により形成されている。又は、円筒部材１１及び円板部材１２の双方が乳白色の樹脂により形成されており、円筒部材１１の厚さは、円板部材１２の厚さよりも厚くなっている。又は、円板部材１２は乳白色の樹脂により形成されており、円筒部材１１は内面が光反射面、例えば鏡面とされた遮光材により形成されている。いずれの場合も、円板部材１２の透光率は、円筒部材１１の透光率よりも高くなっている。なお、光反射面としては、例えば、アルミニウムやステンレスなどの金属面や、これら金属面の表面に酸化アルミニウムや樹脂などの被覆層が積層されたものを用いることができる。
【００１５】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の放光口６から、ブラケット７を介して、浴室ユニット１の内部に照射される。
【００１６】
このとき、放光口６は、浴室ユニット１の天井４における洗い場３側の領域に設けられているため、放光口６から出射した光は、浴槽２よりも洗い場３により多く照射される。また、ブラケット７においては、その側面をなす円筒部材１１の透光率よりも、下面をなす円板部材１２の透光率の方が高いため、ブラケット７に入射した光は、側方よりも下方により多く照射される。これによっても、洗い場３により多くの光が照射される。
【００１７】
次に、本実施形態の効果について説明する。  
上述の如く、本実施形態においては、洗い場３により多くの外光が照射されるため、入浴者が洗い場３にて身体を洗う際に、太陽光などの外光が上方より身体に直接当たり、暖かい。この効果は、特に冬季において有効である。これに対して、特許文献１に記載の技術においては、光ダクトの放光口は浴槽側に設けられているため、光ダクトにより導入された光の大部分は浴槽に向けて照射されてしまい、洗い場には十分に照射されない。このため、洗い場にいる入浴者の身体を効率的に暖めることができない。
【００１８】
次に、本発明の第２の実施形態について説明する。  
図４は、本実施形態に係る浴室ユニットを例示する斜視図であり、  
図５は、この浴室ユニットにおけるブラケットを例示する斜視図である。  
なお、図４及び図５において、図１乃至図３に示す構成要素と同じ構成要素には同じ符号を付し、その詳細な説明を省略する。
【００１９】
図４に示すように、本実施形態に係る浴室ユニット２１においては、洗い場３の側壁１４における鏡１５の上方に放光口６が設けられており、放光口６に、ブラケット２７が取り付けられている。
【００２０】
図５に示すように、ブラケット２７の形状は円柱形であり、その中心軸は水平方向に延びている。そして、ブラケット２７においては、上部２８と下部２９とで透光率が異なっている。すなわち、ブラケット２７の下部２９の透光率は、ブラケット２７の上部２８の透光率よりも高い。例えば、下部２９は、光を透過させる透明な樹脂により形成されており、上部２８は、光を拡散させながら透過させる乳白色の樹脂により形成されている。又は、上部２８及び下部２９の双方が乳白色の樹脂により形成されており、上部２８の厚さは、下部２９の厚さよりも厚くなっている。又は、下部２９は乳白色の樹脂により形成されており、上部２８は内面が光反射面、例えば鏡面とされた遮光材により形成されている。本実施形態における上記以外の構成は、前述の第１の実施形態と同様である。
【００２１】
次に、本実施形態に係る浴室ユニットの動作について説明する。  
採光部１０３（図１参照）によって取り込まれ、光ダクト１０２（図１参照）内を導光された外光Ｌは、浴室ユニット２１の放光口６から、ブラケット２７を介して、浴室ユニット２１の内部に導入される。このとき、放光口６は、浴室ユニット２１の洗い場３の側壁１４に設けられているため、放光口６から出射した光は、浴槽２よりも洗い場３により多く照射される。また、ブラケット２７においては、上部２８の透光率よりも下部２９の透光率の方が高いため、ブラケット２７に入射した光は、上方よりも下方により多く照射される。これによっても、洗い場３により多くの光が照射される。
【００２２】
次に、本実施形態の効果について説明する。  
上述の如く、本実施形態においては、放光口６から出射した太陽光などの外光は、洗い場３により多く照射される。これにより、洗い場３にいる入浴者を効率よく暖めることができる。また、通常、入浴者が身体などを洗う際には、鏡１５に向かっている。このため、本実施形態においては、入浴者は放光口６から出射した外光を正面上方から浴びることができる。この結果、入浴者は鏡１５に映った自分の身体をはっきり視認することができるため、身体を洗うなどの作業の作業性が高い。
【００２３】
次に、本発明の第３の実施形態について説明する。  
図６は、本実施形態に係る浴室ユニットを例示する模式的断面図であり、  
図７は、この浴室ユニットを例示する斜視図である。  
なお、図６及び図７において、図１乃至図３に示す構成要素と同じ構成要素には同じ符号を付し、その詳細な説明を省略する。
【００２４】
図６に示すように、本実施形態に係る浴室ユニット３１の側方には、縦型ダクト３２が設けられている。縦型ダクト３２の本体部３３は垂直方向に延びており、本体部３３の下端から、延出部３４が水平方向に向けて延出しており、全体としてＬ字形状をなしている。また、縦型ダクト３２の内面は光反射面となっており、例えば、鏡面又は白色面となっている。そして、本体部３３の上端は光ダクト１０２（図１参照）に連結されており、延出部３４の先端は浴室ユニット３１の側面に連結されている。浴室ユニット３１における縦型ダクト３２が連結されている部分は、放光口６となっている。また、縦型ダクト３２の内部における屈曲部には、補助ミラー３５が設けられている。補助ミラー３５は、例えば、本体部３３を介して補助ミラー３５に到達した光を、延出部３４に向けて反射するような角度に設置されている。更に、縦型ダクト３２における浴室ユニット３１との連結部分の外周には、パッキン３６が設けられており、この連結部分の水密性を担保している。
【００２５】
図７に示すように、浴室ユニット３１においては、洗い場３の側壁１４における鏡１５の側方に、放光口６が設けられている。放光口６は、例えば、鏡１５の向かって右側であって、鏡１５の垂直方向中央部に相当する位置、例えば、収納棚１６内に設けられている。放光口６には、光を散乱させながら透過させる透光材料、例えば、乳白色のアクリル材料からなる光透過板３７が、水密的にはめ込まれている。本実施形態における上記以外の構成は、前述の第１の実施形態と同様である。
【００２６】
次に、本実施形態に係る浴室ユニットの動作について説明する。  
採光部１０３（図１参照）によって取り込まれ、光ダクト１０２（図１参照）内を導光された外光Ｌは、縦型ダクト３２内に導入され、縦型ダクト３２の内面及び補助ミラー３５によって反射されながら導光され、放光口６を介して浴室ユニット３１の内部に導入される。このとき、放光口６は、浴室ユニット３１の洗い場３の側壁１４に設けられているため、放光口６から出射した光は、浴槽２よりも洗い場３により多く照射される。
【００２７】
次に、本実施形態の効果について説明する。  
上述の如く、本実施形態においては、放光口６から出射した外光は、洗い場３により多く照射されるため、洗い場３にいる入浴者を効率よく暖めることができる。特に、本実施形態においては、放光口６は鏡１５の側方に配置されているため、比較的低い位置から光を照射することができる。このため、入浴者に対して至近距離から光を照射することができ、極めて効率的に入浴者を暖めることができる。また、放光口６をより低い位置に設ければ、入浴者が洗い場３において座っているときでも、入浴者の身体に光を照射し、暖めることができる。更に、通常、入浴者が身体などを洗う際には、鏡１５に向かっているため、外光を正面から浴びることができる。このため、身体を洗う作業などにおける作業性が高い。
【００２８】
従来の浴室ユニットにおいて、光源を低い位置に設けようとすると、光源に水がかかりやすくなるため、漏電及び感電に対する厳重な対策が必要であった。このため、光源を設けるためのコストが増大してしまうという問題があった。これに対して、本実施形態においては、光源としての放光口６は外光を利用しており、電気的な部品は設けられていないため、漏電及び感電の可能性を考慮する必要がない。これにより、低い位置に配置された光源を低コストで設けることができる。なお、放光口６には光透過板３７が水密的にはめ込まれているため、シャワーの水が放光口６にかかっても、この水が縦型ダクト３２内に侵入することがなく、浴室ユニット３１内で発生した蒸気が縦型ダクト３２内に侵入することもない。また、浴室ユニット３１における縦型ダクト３２との連結部分にはパッキン３６が設けられているため、シャワー水及び蒸気が浴室ユニット３１の外部に漏洩することがない。
【００２９】
次に、本発明の第４の実施形態について説明する。  
図８は、本実施形態に係る浴室ユニットを例示する斜視図である。  
なお、図８において、図１乃至図３に示す構成要素と同じ構成要素には同じ符号を付し、その詳細な説明を省略する。
【００３０】
図８に示すように、本実施形態に係る浴室ユニット４１においては、放光口６は、洗い場３の側壁１４におけるカウンター１８の下方の領域に設けられている。本実施形態における上記以外の構成は、前述の第３の実施形態と同様である。すなわち、浴室ユニット４１の側方には、光ダクト１０２（図１参照）と放光口６との間に連結された縦型ダクト３２（図６参照）が設けられている。また、縦型ダクト３２には、補助ミラー３５及びパッキン３６が設けられており、放光口６には、光透過板３７が設けられている。
【００３１】
本実施形態においては、放光口６から出射した外光は、洗い場３にいる入浴者の足元に照射され、入浴者の足元を暖めることができる。本実施形態における上記以外の動作及び効果は、前述の第３の実施形態と同様である。
【００３２】
次に、本発明の第５の実施形態について説明する。  
図９（ａ）及び（ｂ）は、本実施形態に係る浴室ユニットのブラケットを例示する模式図であり、（ａ）は断面図であり、（ｂ）は下面図である。  
図９（ａ）及び（ｂ）に示すように、本実施形態に係る浴室ユニットにおいては、前述の第１の実施形態と同様に、放光口６は浴室ユニットの天井４に設けられており、放光口６の下方にはブラケット５７が取り付けられている。ブラケット５７には、下方に凸となった略半球状のドーム状部分５７ａが設けられており、このドーム状部分５７ａの内面には、円錐台形状に成形された半透光配光板５７ｂが設けられている。半透光配光板５７ｂによって構成された円錐台形状構造物は、上方に向けて凸となるように配置されており、その中心軸は垂直方向に延び、放光口６の中心軸からずれた位置に配置されている。また、ドーム状部分５７ａは、光を拡散させながら透過させる乳白色の樹脂により形成されている。本実施形態における上記以外の構成は、前述の第１の実施形態と同様である。
【００３３】
本実施形態においては、光ダクト１０２を介して放光口６に供給された外光は、ブラケット５７に入射し、その一部は半透光配光板５７ｂに入射する。円錐台形状構造物の斜面部分をなす半透光配光板５７ｂに入射した光の一部は、この半透光配光板５７ｂによって反射されて、ドーム状部分５７ａを介して、斜め下方を中心とした方向に向けて出射する。このとき、半透光配光板５７ｂの中心軸が放光口６の中心軸からずれていると、半透光配光板５７ｂによって反射された光の進行方向の分布が非対称になり、ある方向に対しては他の方向よりも多くの光が出射する。具体的には、例えば、半透光配光板５７ｂの中心軸が放光口６の中心軸に対して、浴槽２側にずれていると、放光口６のうち最も光束密度が高い中心軸付近の光は、円錐台形状構造物の洗い場３側の斜面をなす半透光配光板５７ｂによって反射され、洗い場３に向けて出射する。これにより、洗い場３に対して、浴槽２よりも多くの光を供給することができる。
【００３４】
なお、図１０（ａ）及び（ｂ）は、比較例におけるブラケットを例示する模式図であり、（ａ）は断面図であり、（ｂ）は下面図である。  
図１０（ａ）及び（ｂ）に示すように、比較例のブラケット１５７においては、半透光配光板１５７ｂからなる円錐台形状構造物の中心軸が放光口の中心軸と一致している。このため、半透光配光板１５７ｂによって反射された光の進行方向の分布は対称となる。
【００３５】
本実施形態によれば、放光口６を必ずしも洗い場３に設ける必要がなく、放光口６を浴室ユニット内のどの位置に設けても、放光口の位置に応じて放光口から出射する光の方向を規制することにより、洗い場３により多くの光を照射することができる。これにより、例えば、放光口６を、天井４における浴槽２側の領域に設け、排気口８と一体化させることができる。本実施形態における上記以外の動作及び効果は、前述の第１の実施形態と同様である。
【００３６】
次に、本発明の第６の実施形態について説明する。  
図１１（ａ）及び（ｂ）は、本実施形態に係る浴室ユニットのブラケットを例示する模式図であり、（ａ）は断面図であり、（ｂ）は下面図である。  
図１１（ａ）及び（ｂ）に示すように、本実施形態に係る浴室ユニットにおいては、前述の第１の実施形態と同様に、放光口６は浴室ユニットの天井４に設けられており、放光口６の下方にはブラケット６７が取り付けられている。ブラケット６７には、下方に向けて凸となった略半球状のドーム状部分６７ａが設けられている。このドーム状部分６７ａは、光を拡散させながら透過させる乳白色の樹脂により形成されている。
【００３７】
また、ドーム状部分６７ａの表面には、複数枚の短冊状の光反射板６７ｂが取り付けられている。これらの複数枚の光反射板６７ｂは、ドーム状部分６７ａの表面に沿って略マトリクス状に配列されている。また、光反射板６７ｂの片面は光反射面となっている。そして、光反射板６７ｂは、その光反射面が相互に平行になるように配置されており、これらの光反射面は、放光口６の中心軸に対して傾斜している。更に、ドーム状部分６７ａの外縁は、環状のレール６７ｃによって天井４に取り付けられている。これにより、ドーム状部分６７ａ及び光反射板６７ｂは、天井４に対して、ドーム状部分６７ａの中心軸を回転軸として回転自在に支持されている。更にまた、放光口６には、光を透過させる透光板６２が取り付けられている。本実施形態における上記以外の構成は、前述の第１の実施形態と同様である。
【００３８】
本実施形態においては、光ダクト１０２を介して放光口６に供給された外光は、透光板６２を透過した後、ブラケット６７に入射し、その一部は光反射板６７ｂに到達してその光反射面によって反射され、斜め下方に向けて出射する。このとき、光反射板６７ｂの光反射面は相互に同じ方向を向いているため、これらの光反射面によって反射された光の進行方向も、ある一方向を中心として分布する。そして、ドーム状部分６７ａを天井４に対して回転させて光反射板６７ｂの傾斜方向を選択することにより、放光口６から出射する光の方向を制御することができる。
【００３９】
本実施形態によれば、放光口６を浴室ユニット内のどの位置に設けても、ドーム状部分６７ａを天井４に対して回転させることにより、光反射板６７ｂの光反射面の傾斜方向を任意に選択して、反射光の出射方向を制御することができる。これにより、放光口６の設置位置にかかわらず、入浴者が好みの位置に外光を照射させることができる。例えば、洗い場３に対して浴槽２よりも多くの光を照射させて、身体を暖めることができる。また、放光口６の設置位置が限定されないため、例えば、天井４における浴槽２側の領域に設けられた排気口８と一体化させることができる。本実施形態における上記以外の動作及び効果は、前述の第１の実施形態と同様である。
【００４０】
次に、本発明の第７の実施形態について説明する。  
図１２は、本実施形態に係る浴室ユニットの放光口を例示する断面図である。  
図１２に示すように、本実施形態に係る浴室ユニットにおいては、洗い場の側壁１４に放光口６が設けられており、この放光口６には、半透光性セラミック板７２が嵌め込まれている。半透光性セラミック板７２は、可視光の一部を吸収して遠赤外線を発生する遠赤外線放射板である。
【００４１】
本実施形態においては、光ダクト１０２（図１参照）及び縦型ダクト３２を介して放光口６に導入された外光Ｌが、半透光性セラミック板７２に照射される。これにより、半透光性セラミック板７２は、入射した外光Ｌのうち可視光の一部を吸収して残部を透過させる。このとき、可視光の一部を吸収することにより、遠赤外線を発生し、浴室ユニット内に照射する。これにより、入浴者は遠赤外線を浴びることができる。遠赤外線は入浴者の皮膚の内側に浸透するため、入浴者は身体の芯から暖まることができる。
【００４２】
なお、本実施形態においては、入射した可視光の一部を吸収して残部を透過させる半透光性セラミック板７２の替わりに、入射した可視光の全てを吸収して遠赤外線に変換する遮光性の遠赤外線放射板を設けてもよい。また、これらの遠赤外線放射板が配置される位置は放光口６には限定されず、浴室ユニット内における光ダクトにより導入された光が照射される位置であれば、どこに配置されていてもよい。例えば、洗い場の床材をこれらの遠赤外線放射板により形成してもよい。これにより、入浴者は、放光口６から照射される太陽光を上方から浴びると共に、床材から放射される遠赤外線を下方から浴びることができ、より効率よく暖まることができる。  
また、本実施形態は、前述の第１乃至第６のいずれかの実施形態と組み合わせて実施することができる。
【００４３】
以上、本発明の実施形態を参照しつつ、本発明の特徴を説明した。しかし、本発明は、これらの実施形態に限定されるものではなく、前述の各実施形態に係る浴室ユニットを構成するいずれかの要素について、当業者が適宜追加、省略又は設計変更を加えたものであっても、本発明の要旨を備えたものであれば、本発明の範囲に包含される。例えば、前述の各実施形態においては、屋外から浴室ユニット内に外光を導入する導光設備が光ダクトである例を示したが、本発明はこれに限定されず、導光設備は例えば光ファイバであってもよい。
【００４４】
また、前述の実施形態においては、ブラケットの一部を乳白色の樹脂により形成する例を示したが、これに限定されない。例えば、浴室ユニット内に暖かみのある光を供給するために、ブラケットの一部の色調をオレンジとしてもよく、涼しさを演出するために、ブルーとしてもよい。又は、ブラケットの一部を透明材料により形成し、その内面に微小な凹凸を形成してもよい。これにより、光を効果的に拡散させることができる。
【図面の簡単な説明】
【００４５】
【図１】本発明の第１の実施形態に係る浴室ユニットが設けられた建築物を例示する模式的断面図である。
【図２】第１の実施形態に係る浴室ユニットを例示する斜視図である。
【図３】第１の実施形態に係る浴室ユニットにおけるブラケットを例示する斜視図である。
【図４】本発明の第２の実施形態に係る浴室ユニットを例示する斜視図である。
【図５】第２の実施形態に係る浴室ユニットにおけるブラケットを例示する斜視図である。
【図６】本発明の第３の実施形態に係る浴室ユニットを例示する模式的断面図である。
【図７】第３の実施形態に係る浴室ユニットを例示する斜視図である。
【図８】本発明の第４の実施形態に係る浴室ユニットを例示する斜視図である。
【図９】（ａ）及び（ｂ）は、本発明の第５の実施形態に係る浴室ユニットのブラケットを例示する模式図であり、（ａ）は断面図であり、（ｂ）は下面図である。
【図１０】（ａ）及び（ｂ）は、比較例におけるブラケットを例示する模式図であり、（ａ）は断面図であり、（ｂ）は下面図である。
【図１１】（ａ）及び（ｂ）は、本発明の第６の実施形態に係る浴室ユニットのブラケットを例示する模式図であり、（ａ）は断面図であり、（ｂ）は下面図である。
【図１２】本発明の第７の実施形態に係る浴室ユニットの放光口を例示する断面図である。
【符号の説明】
【００４６】
１、２１、３１  浴室ユニット、２  浴槽、３  洗い場、４  天井、６  放光口、７、２７、５７、６７、１５７  ブラケット、８  排気口、９  排気フィン、１１  円筒部材、１２  円板部材、１４  側壁、１５  鏡、１６  収納棚、１７  シャワー、１８  カウンター、２８  上部、２９  下部、３２  縦型ダクト、３３  本体部、３４  延出部、３５  補助ミラー、３６  パッキン、３７  光透過板、５７ａ、６７ａ  ドーム状部分、５７ｂ、１５７ｂ  半透光配光板、６２  透光板、６７ｂ  光反射板、６７ｃ  レール、７２  半透光性セラミック板、１０１  住宅、１０２  光ダクト、１０３  採光部、１０４  排気管、Ｌ  外光
【図１】
2008082077.tif 000003
【図２】
2008082077.tif 000004
【図３】
2008082077.tif 000005
【図４】
2008082077.tif 000006
【図５】
2008082077.tif 000007
【図６】
2008082077.tif 000008
【図７】
2008082077.tif 000009
【図８】
2008082077.tif 000010
【図９】
2008082077.tif 000011
【図１０】
2008082077.tif 000012
【図１１】
2008082077.tif 000013
【図１２】
2008082077.tif 000014